(57)【要約】【課題】基準電圧出力部を制御するための指令を受け取る制御端子を不要にしつつ、音声出力回路から、当該音声出力回路に接続された機器に、不要な電流が流れることを抑制できる技術を提供する。【解決手段】音声出力回路は、音信号を増幅する増幅部と、増幅部の出力端子と接続された外部接続用の第１端子と、基準電圧を出力する基準電圧出力部と、外部接続用の第２端子と、外部接続用の第２端子の電圧に応じて、基準電圧出力部の出力端子と外部接続用の第２端子との導通状態を制御する制御部と、を含む。【選択図】図１
2019145930.tif 000002
【特許請求の範囲】
【請求項１】
音信号を増幅する増幅部と、
前記増幅部の出力端子と接続された外部接続用の第１端子と、
基準電圧を出力する基準電圧出力部と、
外部接続用の第２端子と、
前記外部接続用の第２端子の電圧に応じて、前記基準電圧出力部の出力端子と前記外部接続用の第２端子との導通状態を制御する制御部と、
を含むことを特徴とする音声出力回路。
【請求項２】
前記制御部は、前記外部接続用の第２端子の電圧がグランド電圧である場合に、前記基準電圧出力部の出力端子と前記外部接続用の第２端子とを非導通状態にすることを特徴とする請求項１に記載の音声出力回路。
【請求項３】
前記制御部は、
前記基準電圧出力部の出力端子と前記外部接続用の第２端子との間に接続されたスイッチと、
前記外部接続用の第２端子の電圧に応じて、前記スイッチの導通状態を制御するスイッチ制御部と、
を含むことを特徴とする請求項１または２に記載の音声出力回路。
【請求項４】
前記スイッチは、ＦＥＴであることを特徴とする請求項３に記載の音声出力回路。
【請求項５】
前記外部接続用の第１端子と前記外部接続用の第２端子と前記制御部は搭載されていないが前記増幅部と前記基準電圧出力部は搭載されている集積回路を含み、
前記集積回路は、前記スイッチ制御部の出力信号を受け取る制御端子を有していないことを特徴とする請求項３または４に記載の音声出力回路。
【請求項６】
請求項１から５のいずれか１項に記載の音声出力回路を含むことを特徴とするプロジェクター。
【請求項７】
音信号を増幅する増幅部と、前記増幅部の出力端子と接続された外部接続用の第１端子と、基準電圧を出力する基準電圧出力部と、外部接続用の第２端子とを含む音声出力回路の制御方法であって、
前記外部接続用の第２端子の電圧に応じて、前記基準電圧出力部の出力端子と前記外部接続用の第２端子との導通状態を制御することを特徴とする音声出力回路の制御方法。
【発明の詳細な説明】
【技術分野】
【０００１】
本発明は、音声出力回路、プロジェクターおよび音声出力回路の制御方法に関する。
【背景技術】
【０００２】
特許文献１には、ヘッドホンジャックに接続された２つの端子を備えた携帯用音響再生装置（以下「再生装置」とも称する）が記載されている。なお、この再生装置は、音声出力回路と称されることもある。以下、ヘッドホンジャックに接続された２つの端子を「第１端子」、「第２端子」と称する。この再生装置では、アンプで増幅された音信号が第１端子に供給され、第２アンプで生成された基準電圧が第２端子に供給される。音信号は、グランド電圧ＧＮＤから電源電圧ＶＤＤの間で変動する。基準電圧としては、電源電圧ＶＤＤの１／２の電圧が用いられる。
【０００３】
ヘッドホンジャックにヘッドホンとは異なる機器のプラグが差し込まれて第２端子が当該機器のグランド端子と短絡した場合、第２端子から当該機器に不要な電流が流れてしまう。
【０００４】
特許文献１に記載の再生装置では、この不要な電流を抑制するために、電圧検出回路が、第２端子の電圧を検出し、この電圧の検出結果に基づいて起動指令を出力する。起動指令が、電源制御回路によって受け取られると、電源制御回路は、第１アンプと第２アンプの動作を停止して不要な電流を抑制する。
【先行技術文献】
【特許文献】
【０００５】
【特許文献１】特開２００５−５７６２４号公報
【発明の概要】
【発明が解決しようとする課題】
【０００６】
特許文献１に記載の再生装置では、電源制御回路は、第１アンプおよび第２アンプを制御するために、起動指令を受け取る必要がある。このため、再生装置は、第１アンプおよび第２アンプを制御するための起動指令を受け取る制御端子を有する必要がある。
【課題を解決するための手段】
【０００７】
本発明に係る音声出力回路の一態様は、音信号を増幅する増幅部と、前記増幅部の出力端子と接続された外部接続用の第１端子と、基準電圧を出力する基準電圧出力部と、外部接続用の第２端子と、前記外部接続用の第２端子の電圧に応じて、前記基準電圧出力部の出力端子と前記外部接続用の第２端子との導通状態を制御する制御部と、を含むことを特徴とする。
この態様によれば、外部接続用の第２端子の電圧に応じて、基準電圧出力部の出力端子と外部接続用の第２端子との導通状態が制御される。このため、基準電圧出力部を制御することなく、音声出力回路から、外部接続用の第２端子を介して当該音声出力回路に接続された機器に、不要な電流が流れることを抑制できる。よって、基準電圧出力部を制御するための指令が不要となり、当該指令を受け取る制御端子を不要にできる。
【０００８】
上述した音声出力回路の一態様において、前記制御部は、前記外部接続用の第２端子の電圧がグランド電圧である場合に、前記基準電圧出力部の出力端子と前記外部接続用の第２端子とを非導通状態にすることが望ましい。
この態様によれば、外部接続用の第２端子の電圧がグランド電圧である場合に、基準電圧出力部の出力端子と外部接続用の第２端子とが非導通状態になる。このため、基準電圧出力部の出力端子から外部接続用の第２端子を介して不要な電流が流れることを抑制できる。
【０００９】
上述した音声出力回路の一態様において、前記制御部は、前記基準電圧出力部の出力端子と前記外部接続用の第２端子との間に接続されたスイッチと、前記外部接続用の第２端子の電圧に応じて、前記スイッチの導通状態を制御するスイッチ制御部と、を含むことが望ましい。
この態様によれば、スイッチの導通状態を制御するという簡易な制御で不要な電流が流れることを抑制できる。
【００１０】
上述した音声出力回路の一態様において、前記スイッチは、ＦＥＴであることが望ましい。
この態様によれば、例えば、スイッチとしてバイポーラトランジスターが用いられる場合に比べて不要な電流が流れることを抑制できる。
【００１１】
上述した音声出力回路の一態様において、前記外部接続用の第１端子と前記外部接続用の第２端子と前記制御部は搭載されていないが前記増幅部と前記基準電圧出力部は搭載されている集積回路を含み、前記集積回路は、前記スイッチ制御部の出力信号を受け取る制御端子を有していないことが望ましい。
この態様によれば、スイッチ制御部の出力信号を受け取る制御端子を有していない集積回路を用いても、基準電圧出力部から流れる不要な電流を抑制可能になる。
【００１２】
本発明に係るプロジェクターの一態様は、上述した音声出力回路を含むことを特徴とする。
この態様によれば、プロジェクターにおいても、基準電圧出力部から流れる不要な電流を抑制可能になる。
【００１３】
本発明に係る音声出力回路の制御方法の一態様は、音信号を増幅する増幅部と、前記第１増幅部の出力端子と接続された外部接続用の第１端子と、基準電圧を出力する基準電圧出力部と、外部接続用の第２端子とを含む音声出力回路の制御方法であって、前記外部接続用の第２端子の電圧に応じて、前記基準電圧出力部の出力端子と前記外部接続用の第２端子との導通状態を制御することを特徴とする。
この態様によれば、外部接続用の第２端子の電圧に応じて、基準電圧出力部の出力端子と外部接続用の第２端子との導通状態が制御される。このため、基準電圧出力部を制御することなく、音声出力回路から、外部接続用の第２端子を介して当該音声出力回路に接続された機器に、不要な電流が流れることを抑制できる。よって、基準電圧出力部を制御するための指令が不要となり、当該指令を受け取る制御端子を不要にできる。
【図面の簡単な説明】
【００１４】
【図１】第１実施形態に係る音声出力回路１を示した図である。
【図２】音声出力回路１の動作を説明するためのフローチャートである。
【図３】音声出力回路１を備えたプロジェクター１００の一例を示した図である。
【発明を実施するための形態】
【００１５】
以下、図面を参照しながら本発明に係る実施形態を説明する。なお、図面において各部の寸法および縮尺は実際のものと適宜異なる。また、以下に記載する実施形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１６】
＜第１実施形態＞
図１は、第１実施形態に係る音声出力回路１を示した図である。
音声出力回路１は、集積回路であるＩＣ（Integrated Circuit）１０と、左用音信号端子２０と、右用音信号端子３０と、コモン端子４０と、制御部５０と、ヘッドホンジャック６０と、を含む。
ＩＣ１０は、音信号出力部１１と、第１アンプ１２と、第１出力端子１３と、第２アンプ１４と、第２出力端子１５と、電圧生成部１６と、第３アンプ１７と、第３出力端子１８と、を含む。
【００１７】
音信号出力部１１は、左用音信号を第１アンプ１２に出力し、右用音信号を第２アンプ１４に出力する。左用音信号と右用音信号とでステレオ信号を構成する。左用音信号と右用音信号の各々は、電圧信号である。左用音信号は、音信号の一例である。右用音信号は、音信号の他の例である。
【００１８】
第１アンプ１２は、増幅部の一例である。第１アンプ１２は、左用音信号を増幅する。第１アンプ１２は、増幅した左用音信号を第１出力端子１３に出力する。第１出力端子１３は、増幅部の出力端子の一例である。
【００１９】
第２アンプ１４は、増幅部の他の例である。第２アンプ１４は、右用音信号を増幅する。第２アンプ１４は、増幅した右用音信号を第２出力端子１５に出力する。第２出力端子１５は、増幅部の出力端子の他の例である。
【００２０】
電圧生成部１６は、電源電圧ＶＤＤとグランド電圧ＧＮＤとを用いて、所定の値の電圧を生成する。
【００２１】
第３アンプ１７は、基準電圧出力部の一例である。第３アンプ１７は、電圧生成部１６が生成した所定の値の電圧を用いて、電源電圧ＶＤＤの１／２の電圧である基準電圧を生成する。電圧生成部１６は、基準電圧を第３出力端子１８に出力する。第３出力端子１８は、基準電圧出力部の出力端子の一例である。
【００２２】
左用音信号端子２０と右用音信号端子３０とコモン端子４０は、ヘッドホンジャック６０に設けられている。左用音信号端子２０と右用音信号端子３０とコモン端子４０は、ヘッドホンジャック６０に差し込まれたプラグと接続する。
【００２３】
コモン端子４０の電圧は、ヘッドホンジャック６０に差し込まれたプラグを有する機器の種類等に応じて変動する。なお、ヘッドホンジャック６０にヘッドホンのプラグが差し込まれた場合、ヘッドホンが有する負荷等によって、コモン端子４０には、電源電圧ＶＤＤを１／２にした電圧が印加される。
【００２４】
左用音信号端子２０は、外部接続用の第１端子の一例である。左用音信号端子２０は、第１出力端子１３と接続されている。
【００２５】
右用音信号端子３０は、外部接続用の第１端子の他の例である。右用音信号端子３０は、第２出力端子１５と接続されている。
【００２６】
コモン端子４０は、外部接続用の第２端子の一例である。コモン端子４０は、制御部５０と接続されている。
【００２７】
制御部５０は、コモン端子４０の電圧に応じて、第３出力端子１８とコモン端子４０との導通状態を制御する。コモン端子４０の電圧は、上述したようにヘッドホンジャック６０に差し込まれたプラグを有する機器の種類等に応じて変動する。このため、制御部５０は、ヘッドホンジャック６０に差し込まれたプラグを有する機器の種類等に応じて、第３出力端子１８とコモン端子４０との導通状態を制御することになる。
【００２８】
例えば、制御部５０は、コモン端子４０の電圧がグランド電圧ＧＮＤである場合に、第３出力端子１８とコモン端子４０とを非導通状態にする。
【００２９】
制御部５０は、ＰチャネルＭＯＳＦＥＴ（metal oxide semiconductor field effect transistor）５１と、インバーター５２と、を含む。
【００３０】
ＰチャネルＭＯＳＦＥＴ５１は、スイッチの一例である。ＰチャネルＭＯＳＦＥＴ５１のソースは、第３出力端子１８に接続されている。ＰチャネルＭＯＳＦＥＴ５１のドレインは、コモン端子４０に接続されている。ＰチャネルＭＯＳＦＥＴ５１のゲートは、インバーター５２の出力段に接続されている。
【００３１】
インバーター５２は、スイッチ制御部の一例である。インバーター５２は、コモン端子４０の電圧に応じて、ＰチャネルＭＯＳＦＥＴ５１の導通状態を制御する。なお、ＩＣ１０は、インバーター５２の出力信号を受け取る制御端子を有していない。
【００３２】
次に、動作を説明する。図２は、音声出力回路１の動作を説明するためのフローチャートである。
まず、ヘッドホンジャック６０にヘッドホンのプラグが差し込まれた場合の動作を説明する。
【００３３】
ヘッドホンジャック６０にヘッドホンのプラグが差し込まれた場合、左用音信号端子２０とコモン端子４０は、ヘッドホンの左用音のための負荷を介して接続され、右用音信号端子３０とコモン端子４０は、ヘッドホンの右用音のための負荷を介して接続される。そして、コモン端子４０には、電源電圧ＶＤＤを１／２にした電圧が印加される。
【００３４】
コモン端子４０に電源電圧ＶＤＤを１／２にした電圧が印加されると（ステップＳ１０１：ＮＯ）、インバーター５２の出力が“０”になり、ＰチャネルＭＯＳＦＥＴ５１が導通する（ステップＳ１０２）。
このため、コモン端子４０と第３出力端子１８とは、共に、電源電圧ＶＤＤを１／２にした電圧が印加された状態で導通され、ヘッドホンは正常に動作する。
【００３５】
次に、ヘッドホンジャック６０に、ヘッドホンとは異なる機器のプラグ、例えば、アンプ内蔵スピーカーのプラグが差し込まれた場合の動作を説明する。
【００３６】
ヘッドホンジャック６０にアンプ内蔵スピーカーのプラグが差し込まれた場合、コモン端子４０は、アンプ内蔵スピーカーのグランド端子に接続され、コモン端子４０の電圧は、グランド電圧ＧＮＤになる。
【００３７】
コモン端子４０がグランド電圧ＧＮＤになると（ステップＳ１０１：ＹＥＳ）、インバーター５２の出力が“１”になり、ＰチャネルＭＯＳＦＥＴ５１が非導通状態、つまりハイインピーダンスになる（ステップＳ１０３）。
このため、第３出力端子１８はコモン端子４０と非導通状態になり、音声出力回路１から、コモン端子４０を介して、音声出力回路１に接続された機器に対して、不要な電流が流れることを抑制できる。
【００３８】
本実施形態に係る音声出力回路１および音声出力回路１の制御方法によれば、コモン端子４０の電圧に応じて、第３出力端子１８とコモン端子４０との導通状態が制御される。このため、第３アンプ１７を制御することなく、音声出力回路１から、コモン端子４０を介して音声出力回路１と接続された機器に、不要な電流が流れることを抑制できる。よって、第３アンプ１７を制御するための指令が不要となり、当該指令を受け取る制御端子を不要にすることが可能になる。
【００３９】
制御部５０は、コモン端子４０の電圧がグランド電圧ＧＮＤである場合に、第３出力端子１８とコモン端子４０とを非導通状態にする。このため、第３出力端子１８からコモン端子４０を介して、不要な電流が流れることを抑制できる。
【００４０】
制御部５０は、第３出力端子１８とコモン端子４０との間に接続されたＰチャネルＭＯＳＦＥＴ５１と、コモン端子４０の電圧に応じてＰチャネルＭＯＳＦＥＴ５１の導通状態を制御するインバーター５２と、を含む。このため、ＰチャネルＭＯＳＦＥＴ５１の代わりにバイポーラトランジスターが用いられる場合に比べて、不要な電流が流れることを抑制できる。
【００４１】
ＩＣ１０には、左用音信号端子２０と右用音信号端子３０とコモン端子４０と制御部５０は搭載されていないが、第１アンプ１２と第２アンプ１４と第３アンプ１７は搭載されている。そして、ＩＣ１０は、インバーター５２の出力信号を受け取る制御端子を有していない。つまり、インバーター５２の出力信号を受け取る制御端子を有していないＩＣ１０、例えば、機能の少ない安価なＩＣが用いられても、第３アンプ１７から不要な電流が流れることを抑制できる。
なお、ＩＣ１０がインバーター５２の出力信号を受け取る制御端子を有していても、第３アンプ１７から不要な電流が流れることを抑制できる。このため、本実施形態では、ＩＣ１０についての選択の自由度が高くなる。
【００４２】
＜第２実施形態＞
第２実施形態は、図１に示した音声出力回路１を備えたプロジェクターである。
図３は、音声出力回路１を備えたプロジェクター１００の一例を示した図である。
【００４３】
プロジェクター１００は、音声出力回路１と、操作部１１０と、画像処理部１２０と、ライトバルブ駆動部１３０と、光源駆動部１４０と、投射部１５０と、記憶部１７０と、処理部１８０と、バス１９０と、を含む。投射部１５０は、光源１５１と、３つの液晶ライトバルブ１５２Ｒ，１５２Ｇおよび１５２Ｂと、投射光学系１５３と、を含む。以下、３つの液晶ライトバルブ１５２Ｒ，１５２Ｇおよび１５２Ｂをまとめて「液晶ライトバルブ１５２」とも称する。
【００４４】
プロジェクター１００には、不図示のインターフェイスを介して、外部記憶装置４００が接続される。外部記憶装置４００は、例えば、ＳＤメモリーカード等のカード型記録媒体、または、ＵＳＢ（Universal Serial Bus）メモリーデバイスである。
【００４５】
音声出力回路１と、操作部１１０と、画像処理部１２０と、ライトバルブ駆動部１３０と、光源駆動部１４０と、記憶部１７０と、処理部１８０と、外部記憶装置４００は、バス１９０を介して相互に通信可能である。
【００４６】
外部記憶装置４００は、画像情報と音情報とを含むコンテンツ情報を記憶する。
操作部１１０は、例えば、各種の操作ボタン、操作キーまたはタッチパネルである。操作部１１０は、プロジェクター１００のユーザー（以下、単に「ユーザー」と称する）の入力操作を受け取る。操作部１１０は、使用者による入力操作に応じた情報を無線または有線で送信するリモートコントローラー等であってもよい。その場合、プロジェクター１００は、リモートコントローラーが送信した情報を受信する受信部を備える。リモートコントローラーは、使用者による入力操作を受け取る各種の操作ボタン、操作キーまたはタッチパネルを備える。
【００４７】
画像処理部１２０は、外部記憶装置４００に記憶されている画像情報に対して画像処理を施して画像信号を生成する。
【００４８】
ライトバルブ駆動部１３０は、画像処理部１２０が生成した画像信号に基づいて、液晶ライトバルブ１５２を駆動する。
【００４９】
光源駆動部１４０は、光源１５１を駆動する。例えば、光源駆動部１４０は、操作部１１０が電源オン操作を受け付けた場合に、光源１５１を発光させる。
【００５０】
投射部１５０は、画像信号に応じた画像、換言すると、画像情報に応じた画像を、投射面２００に投射する。投射部１５０では、光源１５１から出射された光を液晶ライトバルブ１５２が変調して、画像信号に応じた画像である画像光を生成し、この画像光が投射光学系１５３から投射面２００に拡大して投射される。
【００５１】
光源１５１は、キセノンランプ、超高圧水銀ランプ、ＬＥＤ（Light Emitting Diode）、またはレーザー光源等である。光源１５１は光を出射する。光源１５１から出射された光は、不図示のインテグレーター光学系によって輝度分布のばらつきが低減され、その後、不図示の色分離光学系によって光の３原色である赤色Ｒ、緑色Ｇ、青色Ｂの色光成分に分離される。Ｒ，Ｇ，Ｂの色光成分は、それぞれ、液晶ライトバルブ１５２Ｒ，１５２Ｇ，１５２Ｂに入射する。
【００５２】
液晶ライトバルブ１５２は、光変調装置の一例である。液晶ライトバルブ１５２は、画像信号に応じて、光源１５１が出射した光を変調して画像光を生成する。液晶ライトバルブ１５２は、一対の透明基板間に液晶が封入された液晶パネル等によって構成される。液晶ライトバルブ１５２には、マトリクス状に配列された複数の画素１５２ｐからなる矩形の画素領域１５２ａが形成されている。液晶ライトバルブ１５２では、液晶に対して画素１５２ｐごとに駆動電圧を印加することができる。
【００５３】
ライトバルブ駆動部１３０が、画像信号に応じた駆動電圧を各画素１５２ｐに印加すると、各画素１５２ｐは、画像信号に応じた光透過率に設定される。このため、光源１５１から出射された光は、画素領域１５２ａを透過することで変調され、画像信号に応じた画像が色光ごとに形成される。各色の画像は、不図示の色合成光学系によって画素１５２ｐごとに合成され、カラーの画像光になる。
【００５４】
投射光学系１５３は、液晶ライトバルブ１５２が生成した画像光を投射面２００に拡大投射する。
【００５５】
記憶部１７０は、コンピューターが読み取り可能な記録媒体である。記憶部１７０は、プロジェクター１００の動作を規定するプログラムと、種々の情報を記憶している。
【００５６】
処理部１８０は、ＣＰＵ（Central Processing Unit）等のコンピューターである。処理部１８０は、１または複数のプロセッサーで構成されてもよい。処理部１８０は、記憶部１７０に記憶されているプログラムを読み取り実行することによって、例えば、音声出力回路１と、画像処理部１２０と、ライトバルブ駆動部１３０と、光源駆動部１４０と、を制御する。
【００５７】
音声出力回路１では、音信号出力部１１は、外部記憶装置４００に記憶された音情報に基づいて、左用音信号と右用音信号とを生成する。音信号出力部１１は、生成した左用音信号を第１アンプ１２に出力し、生成した右用音信号を第２アンプ１４に出力する。
【００５８】
本実施形態によれば、プロジェクター１００においても、第３アンプ１７を通じて不要な電流が流れることを抑制可能になる。
【００５９】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００６０】
＜変形例１＞
制御部５０では、スイッチの一例として、ＰチャネルＭＯＳＦＥＴ５１が用いられたが、スイッチは、ＰチャネルＭＯＳＦＥＴ５１に限らず適宜変更可能である。
例えば、ＰチャネルＭＯＳＦＥＴ５１の代わりに、ＰチャネルＪＦＥＴ（Junction Field Effect Transistor）、ＰチャネルＭＥＳＦＥＴ（metal semiconductor field effect transistor）、または、ＰＮＰバイポーラトランジスターが用いられてもよい。
また、ＰチャネルＭＯＳＦＥＴ５１の代わりに、ＮチャネルＭＯＳＦＥＴ、ＮチャネルＪＦＥＴ、ＮチャネルＭＥＳＦＥＴ、または、ＮＰＮバイポーラトランジスターが用いられてもよい。この場合、インバーター５２の代わりにバッファーが用いられるか、インバーター５２が省略される。
【００６１】
＜変形例２＞
音信号出力部１１は、左用音信号および右用音信号の代わりにモノラルの音信号を第１アンプ１２および第２アンプ１４に出力してもよい。
音信号出力部１１が、モノラルの音信号を出力する場合、例えば、第１アンプ１２と第１出力端子１３と左用音信号端子２０が省略されてもよいし、または、第２アンプ１４と第２出力端子１５と右用音信号端子３０が省略されてもよい。
【００６２】
＜変形例３＞
ヘッドホンとは異なる機器は、ヘッドホンジャック６０に差し込み可能なプラグを有するアンプ内蔵ヘッドホンに限らず適宜変更可能である。例えば、ヘッドホンとは異なる機器は、オーディオ入力用の接続端子を有するＰＣ（Personal computer）でもよい。この場合、ＰＣと音声出力回路１とはケーブルを介して接続される。
【００６３】
＜変形例４＞
図３に示したプロジェクター１００は、スピーカーを有してもよい。この場合、ユーザーは、ヘッドホンを用いて音を聞くだけでなく、スピーカーを介して音を聞くこともできる。このため、プロジェクター１００の利用シーンを拡大できる。
【００６４】
＜変形例５＞
音信号出力部１１は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【００６５】
＜変形例６＞
光変調装置として液晶ライトバルブ１５２が用いられたが、光変調装置は液晶ライトバルブ１５２に限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１５１が発した光を変調可能な構成は、光変調装置として採用できる。
【００６６】
＜変形例７＞
音信号出力部１１は、外部記憶装置４００に記憶された音情報の代わりに、ＰＣ等の外部装置から受け取った音信号を用いてもよい。
【符号の説明】
【００６７】
１…音声出力回路、１１…音信号出力部、１２…第１アンプ、１３…第１出力端子、１４…第２アンプ、１５…第２出力端子、１６…電圧生成部、１７…第３アンプ、１８…第３出力端子、２０…左用音信号端子、３０…右用音信号端子、４０…コモン端子、５０…制御部、５１…ＰチャネルＭＯＳトランジスター、５２…インバーター。
【図１】
2019145930.tif 000003
【図２】
2019145930.tif 000004
【図３】
2019145930.tif 000005